(57)【要約】【課題】記録可能な情報記録媒体の記録済みと未記録が混在した領域を信頼性を確保しつつ一連の動作で読み出すことが可能な情報再生装置および情報再生方法を提供する。【解決手段】再生している単位ユニットの途中で記録済みか未記録かの前判定を行い（ステップ２０３）、未記録であると判定すると読み出し情報の転送を停止する（ステップ２０４）。その後、後続の単位ユニットも再生する場合には、後続の単位ユニットの読み取り情報の転送を行う（ステップ２０６）。【選択図】図２
2005276381.tif 000002
【特許請求の範囲】
【請求項１】
情報記録媒体に記録された情報を再生する情報再生装置であって、
前記情報記録媒体を再生した信号から記録済みか未記録かを示す未記録検出情報を生成する未記録検出手段と、
前記情報記録媒体を再生した信号を復号して読み出し情報を生成する情報復号手段と、
前記読み出し情報を転送する転送手段を備え、
前記情報記録媒体は所定の単位ユニットを単位として情報が記録されており、
再生している単位ユニットの途中で前記未記録検出情報を参照して前記再生している単位ユニットが未記録であると判定した場合に、前記転送手段による前記読み出し情報の転送を停止する情報再生装置。
【請求項２】
情報記録媒体に記録された情報を再生する情報再生装置であって、
前記情報記録媒体を再生した信号から記録済みか未記録かを示す未記録検出情報を生成する未記録検出手段と、
前記情報記録媒体を再生した信号を復号して読み出し情報を生成する情報復号手段と、
前記読み出し情報を転送する転送手段を備え、
前記情報記録媒体は所定の単位ユニットを単位として情報が記録されており、
前記所定の単位ユニットにはｎ個（ｎ≧３、ｎは整数）のアドレス情報が記録されており、
再生している単位ユニットのｍ番目（２≦ｍ≦ｎ、ｍは整数）のアドレス情報を検出した時点で前記未記録検出情報を参照して前記再生している単位ユニットが未記録であると判定した場合に、前記転送手段による前記読み出し情報の転送を停止する情報再生装置。
【請求項３】
前記ｎは３であり、前記ｍは２である請求項２記載の情報再生装置。
【請求項４】
情報記録媒体に記録された情報を再生する情報再生装置であって、
前記情報記録媒体を再生した信号から記録済みか未記録かを示す未記録検出情報を生成する未記録検出手段と、
前記情報記録媒体を再生した信号を復号して読み出し情報を生成する情報復号手段と、
前記読み出し情報を転送する転送手段を備え、
前記情報記録媒体は所定の単位ユニットを単位として情報が記録されており、
再生している単位ユニットの途中で前記未記録検出情報を参照して前記再生している単位ユニットが未記録であると判定した場合に、前記転送手段による前記読み出し情報の転送を停止して、前記再生している単位ユニットの直後の単位ユニットの開始位置から前記転送手段により前記読み出し情報の転送を再開する情報再生装置。
【請求項５】
情報記録媒体に記録された情報を再生する情報再生装置であって、
前記情報記録媒体を再生した信号から記録済みか未記録かを示す未記録検出情報を生成する未記録検出手段と、
前記情報記録媒体を再生した信号を復号して読み出し情報を生成する情報復号手段と、
前記読み出し情報を転送する転送手段を備え、
前記情報記録媒体は所定の単位ユニットを単位として情報が記録されており、
前記所定の単位ユニットにはｎ個（ｎ≧３、ｎは整数）のアドレス情報が記録されており、
再生している単位ユニットのｍ番目（２≦ｍ≦ｎ、ｍは整数）のアドレス情報を検出した時点で前記未記録検出情報を参照して前記再生している単位ユニットが未記録であると判定した場合に、前記転送手段による前記読み出し情報の転送を停止して、前記再生している単位ユニットの直後の単位ユニットの開始位置から前記転送手段により前記読み出し情報の転送を再開する情報再生装置。
【請求項６】
前記ｎは３であり、前記ｍは２である請求項５記載の情報再生装置。
【請求項７】
前記再生している単位ユニットが未記録であると判定した場合に、前記転送手段による前記読み出し情報の転送を停止して、前記再生している単位ユニットの直後の単位ユニットの先頭の同期信号を検出したら前記転送手段により前記読み出し情報の転送を再開する請求項４から請求項６のいずれか一項に記載の情報再生装置。
【請求項８】
前記再生している単位ユニットが未記録であると判定した場合に、前記転送手段による前記読み出し情報の転送を停止して、前記再生している単位ユニットの開始位置から前記再生している単位ユニットの直後の単位ユニットの開始位置を推測して前記転送手段により前記読み出し情報の転送を再開する請求項４から請求項６のいずれか一項に記載の情報再生装置。
【請求項９】
前記未記録検出手段は前記情報記録媒体を再生した信号の振幅から記録済みか未記録かを示す未記録検出情報を生成する請求項１から請求項８のいずれか一項に記載の情報再生装置。
【請求項１０】
前記未記録検出手段は前記情報記録媒体を再生した信号から同期信号を検出することにより記録済みか未記録かを示す未記録検出情報を生成する請求項１から請求項８のいずれか一項に記載の情報再生装置。
【請求項１１】
前記情報記録媒体は書き換え可能な情報記録媒体である請求項１から請求項１０のいずれか一項に記載の情報再生装置。
【請求項１２】
情報記録媒体に記録された情報を再生する情報再生方法であって、
前記情報記録媒体は所定の単位ユニットを単位として情報が記録されており、
（ａ）前記情報記録媒体を再生して得た読み出し情報の転送を開始するステップと、
（ｂ）再生している単位ユニットの途中において前記再生している単位ユニットが記録済みか未記録かを判定するステップと、
（ｃ）前記ステップ（ｂ）において前記再生している単位ユニットが未記録であると判定した場合に、前記情報記録媒体を再生して得た読み出し情報の転送を停止するステップと
を含む情報再生方法。
【請求項１３】
前記所定の単位ユニットにはｎ個（ｎ≧３、ｎは整数）のアドレス情報が記録されており、前記ステップ（ｂ）は再生している単位ユニットのｍ番目（２≦ｍ≦ｎ、ｍは整数）のアドレス情報を検出した時点において前記再生している単位ユニットが記録済みか未記録かを判定するステップである請求項１２記載の情報再生方法。
【請求項１４】
前記ｎは３であり、前記ｍは２である請求項１３記載の情報再生方法。
【請求項１５】
情報記録媒体に記録された情報を再生する情報再生方法であって、
前記情報記録媒体は所定の単位ユニットを単位として情報が記録されており、
（ａ）前記情報記録媒体を再生して得た読み出し情報の転送を開始するステップと、
（ｂ）再生している単位ユニットの途中において前記再生している単位ユニットが記録済みか未記録かを判定するステップと、
（ｃ）前記ステップ（ｂ）において前記再生している単位ユニットが未記録であると判定した場合に、前記情報記録媒体を再生して得た読み出し情報の転送を停止して、前記再生している単位ユニットの直後の単位ユニットの開始位置から前記情報記録媒体を再生して得た読み出し情報の転送を再開するステップと
を含む情報再生方法。
【請求項１６】
前記所定の単位ユニットにはｎ個（ｎ≧３、ｎは整数）のアドレス情報が記録されており、前記ステップ（ｂ）は再生している単位ユニットのｍ番目（２≦ｍ≦ｎ、ｍは整数）のアドレス情報を検出した時点において前記再生している単位ユニットが記録済みか未記録かを判定するステップである請求項１５記載の情報再生方法。
【請求項１７】
前記ｎは３であり、前記ｍは２である請求項１６記載の情報再生方法。
【請求項１８】
前記ステップ（ｃ）は前記ステップ（ｂ）において前記再生している単位ユニットが未記録であると判定した場合に、前記情報記録媒体を再生して得た読み出し情報の転送を停止して、前記再生している単位ユニットの直後の単位ユニットの先頭の同期信号を検出したら前記情報記録媒体を再生して得た読み出し情報の転送を再開するステップである請求項１５から請求項１７のいずれか一項に記載の情報再生方法。
【請求項１９】
前記ステップ（ｃ）は前記ステップ（ｂ）において前記再生している単位ユニットが未記録であると判定した場合に、前記情報記録媒体を再生して得た読み出し情報の転送を停止して、前記再生している単位ユニットの開始位置から前記再生している単位ユニットの直後の単位ユニットの開始位置を推測して前記情報記録媒体を再生して得た読み出し情報の転送を再開するステップである請求項１５から請求項１７のいずれか一項に記載の情報再生方法。
【請求項２０】
前記ステップ（ｂ）は再生している単位ユニットの再生信号の振幅から前記再生している単位ユニットが記録済みか未記録かを判定するステップである請求項１２から請求項１９のいずれか一項に記載の情報再生方法。
【請求項２１】
前記ステップ（ｂ）は再生している単位ユニットの再生信号から同期信号を検出することにより前記再生している単位ユニットが記録済みか未記録かを判定するステップである請求項１２から請求項１９のいずれか一項に記載の情報再生方法。
【請求項２２】
前記情報記録媒体は書き換え可能な情報記録媒体である請求項１２から請求項２１のいずれか一項に記載の情報再生方法。
【発明の詳細な説明】
【技術分野】
【０００１】
本発明は、情報記録媒体に記録された情報を再生する情報再生装置及び情報再生方法に関するものである。
【背景技術】
【０００２】
記録可能な光ディスクでは、案内溝の蛇行（ウォブリング）により光ディスク上の絶対位置を示すアドレス情報と光ディスクの回転制御情報が記録されている。このアドレス情報は、再生時にクロック同期が容易に取れるような記録符号、たとえば、バイフェーズ符号により記録符号化されており、この記録符号をＦＭ変調した信号が案内溝の蛇行により光ディスクに記録されている。
【０００３】
このような光ディスクに情報を記録するときは、光ディスクから案内溝の蛇行によるＦＭ変調信号を取り出してＦＭ復調し、記録符号化されたアドレス情報を検出する。記録符号からＰＬＬ（Ｐｈａｓｅ  Ｌｏｃｋｅｄ  Ｌｏｏｐ）回路を用いて回転同期クロックを抽出するとともに、記録符号を復号してアドレス情報を検出する。この検出したアドレス情報を使用して目的の位置に情報を記録する。
【０００４】
記録情報は、相変化光ディスクでは反射率の変化として、また、光磁気ディスクでは反射光の偏光面を回転させる磁区の方向の変化として記録する。このとき、再生時に同期クロックの検出を容易にすることを目的として記録符号化して記録する。
【０００５】
再生時には、反射率の変化、または、偏光面の回転の変化を電気信号の振幅変化としてとりだし、この再生信号からＰＬＬ回路により同期クロックを検出して記録符号の復号を行う。
【０００６】
以下、従来の情報再生装置の一例について、図面を参照しながら説明する。図５は従来の情報再生装置５００の構成を示すブロック図である。情報再生装置５００において、光ピックアップ５０２の出力信号から再生信号検出器５０３により情報記録媒体５０１に記録されている情報を電気信号の振幅変化として再生信号を検出する。検出した再生信号は、ＡＧＣ（Ａｕｔｏｍａｔｉｃ  Ｇａｉｎ  Ｃｏｎｔｒｏｌ）回路５０４により、平均的な信号振幅を一定にされる。ＡＧＣ回路５０４の出力は、Ａ／Ｄ変換器５０５で標本化・量子化され、デジタル化される。デジタル化された再生信号はイコライザ５０６により、周波数特性を補正され、波形特化される。ＰＬＬ回路５０７は、イコライザ５０６の出力を用いて読み出し同期クロックを検出する。読み出し同期クロックは、Ａ／Ｄ変換器５０５、イコライザ５０６、復号器５０８の動作クロックとして供給される。波形特化された再生信号は、復号器５０８で記録符号の復号が行われ、読み出し情報として出力される。
【０００７】
光ピックアップ５０２の出力信号は、ウォブル信号検出器５０９にも入力され、案内溝の蛇行で記録されているＦＭ変調信号が取り出され、そのＦＭ変調信号をＦＭ復調器５１０で復調して記録符号を得る。記録符号からＰＬＬ回路５１１により回転同期クロックを検出するとともに、復号器５１２により復号してアドレス情報を得る。
【０００８】
情報再生装置５００で情報記録媒体５０１に記録されている情報を読み出すには、復号器５１２から出力されるアドレス情報を使用して再生する情報が記録されている場所に光ピックアップ５０２を移動し、再生する情報が記録されている場所に同期させて復号器５０８から出力される読み出し情報を取り出す。
【０００９】
ところが、情報記録媒体のまだ一度も記録されたことのない場所の情報を読み出そうとした場合には、読み出し同期クロックを検出することができないため、ＰＬＬ回路５０７から出力される読み出し同期クロックは情報が記録されているときとは異なる不正確な周波数となり、結果として復号器５０８から出力される読み出し情報の情報量が変動する。
【００１０】
そこで、未記録の場所の情報を読み出す場合でも読み出し同期クロックを安定させるために、未記録部分では回転同期クロックを読み出し同期クロックとして利用することが考えられている（例えば、特許文献１参照。）。
【００１１】
図６はこのような情報再生装置６００の構成を示すブロック図である。情報再生装置６００において情報再生装置５００と同じ構成要素には同一の符号を付し、その説明は省略する。情報再生装置６００では、未記録検出器６１３により再生信号検出器５０３から出力される再生信号の信号振幅を監視することで再生している場所が記録済みか未記録かを示す未記録検出情報を生成する。切替器６１４は、未記録検出器６１３から出力される未記録検出情報により、記録済みである場合にはイコライザ５０６の出力である波形特化された再生信号を選択して出力し、未記録である場合にはＰＬＬ回路５１１の出力である回転同期クロックを選択して出力する。切替器６１４の出力からＰＬＬ回路５０７により読み出し同期クロックが検出され、Ａ／Ｄ変換器５０５、イコライザ５０６、復号器５０８の動作クロックとして供給される。
【００１２】
情報再生装置６００で情報記録媒体に記録されている情報を読み出すには、情報再生装置５００の場合と同様に、復号器５１２から出力されるアドレス情報を使用して再生する情報が記録されている場所へ光ピックアップ５０２を移動し、再生する情報が記録されている場所に同期させて復号器５０８から出力される読み出し情報を取り出す。
【００１３】
もし、情報記録媒体の情報を読み出す場所が未記録であった場合には、再生同期クロックとして回転同期クロックが使用されるため、情報再生装置５００の場合に比べて、復号器５０８から出力される読み出し情報の情報量は変動が小さくなる。
【特許文献１】特開平１１−１６２９５号公報
【発明の開示】
【発明が解決しようとする課題】
【００１４】
情報記録媒体に記録される情報は、情報記録媒体上において必ずしも連続的ではなく離散的になる。従って、記録済みと未記録が混在した領域を読み出す必要があり、情報記録媒体の未記録の場所を読み出したときの読み出し情報の情報量が不正確であると、記録済みの情報の読み出し位置がずれることになる。このため、記録済みと未記録の領域が混在した領域を一連の動作で読み出すと記録済みの部分の読み出し情報の信頼性が低下する。また、記録済みと未記録が混在した場合には一連の動作で読み出さないようにした場合には、情報の読み出しに時間がかかるという欠点がある。
【００１５】
本発明は、この点に鑑みなされたもので、情報記録媒体の記録済みと未記録が混在した領域を一連の動作で読み出すことが可能であり、かつ、記録済み部分の読み出し情報の信頼性を確保した情報再生装置および情報再生方法を提供することを目的とする。
【課題を解決するための手段】
【００１６】
本発明の情報再生装置は、情報記録媒体に記録された情報を再生するものであって、前記情報記録媒体を再生した信号から記録済みか未記録かを示す未記録検出情報を生成する未記録検出手段と、前記情報記録媒体を再生した信号を復号して読み出し情報を生成する情報復号手段と、前記読み出し情報を転送する転送手段を備え、前記情報記録媒体は所定の単位ユニットを単位として情報が記録されており、再生している単位ユニットの途中で前記未記録検出情報を参照して前記再生している単位ユニットが未記録であると判定した場合に、前記転送手段による前記読み出し情報の転送を停止することにより上記目的を達成する。
【００１７】
本発明の情報再生装置は、情報記録媒体に記録された情報を再生するものであって、前記情報記録媒体を再生した信号から記録済みか未記録かを示す未記録検出情報を生成する未記録検出手段と、前記情報記録媒体を再生した信号を復号して読み出し情報を生成する情報復号手段と、前記読み出し情報を転送する転送手段を備え、前記情報記録媒体は所定の単位ユニットを単位として情報が記録されており、前記所定の単位ユニットにはｎ個（ｎ≧３、ｎは整数）のアドレス情報が記録されており、再生している単位ユニットのｍ番目（２≦ｍ≦ｎ、ｍは整数）のアドレス情報を検出した時点で前記未記録検出情報を参照して前記再生している単位ユニットが未記録であると判定した場合に、前記転送手段による前記読み出し情報の転送を停止することにより上記目的を達成する。
【００１８】
前記ｎは３であり、前記ｍは２であってもよい。
【００１９】
本発明の情報再生装置は、情報記録媒体に記録された情報を再生するものであって、前記情報記録媒体を再生した信号から記録済みか未記録かを示す未記録検出情報を生成する未記録検出手段と、前記情報記録媒体を再生した信号を復号して読み出し情報を生成する情報復号手段と、前記読み出し情報を転送する転送手段を備え、前記情報記録媒体は所定の単位ユニットを単位として情報が記録されており、再生している単位ユニットの途中で前記未記録検出情報を参照して前記再生している単位ユニットが未記録であると判定した場合に、前記転送手段による前記読み出し情報の転送を停止して、前記再生している単位ユニットの直後の単位ユニットの開始位置から前記転送手段により前記読み出し情報の転送を再開することにより上記目的を達成する。
【００２０】
本発明の情報再生装置は、情報記録媒体に記録された情報を再生するものであって、前記情報記録媒体を再生した信号から記録済みか未記録かを示す未記録検出情報を生成する未記録検出手段と、前記情報記録媒体を再生した信号を復号して読み出し情報を生成する情報復号手段と、前記読み出し情報を転送する転送手段を備え、前記情報記録媒体は所定の単位ユニットを単位として情報が記録されており、前記所定の単位ユニットにはｎ個（ｎ≧３、ｎは整数）のアドレス情報が記録されており、再生している単位ユニットのｍ番目（２≦ｍ≦ｎ、ｍは整数）のアドレス情報を検出した時点で前記未記録検出情報を参照して前記再生している単位ユニットが未記録であると判定した場合に、前記転送手段による前記読み出し情報の転送を停止して、前記再生している単位ユニットの直後の単位ユニットの開始位置から前記転送手段により前記読み出し情報の転送を再開することにより上記目的を達成する。
【００２１】
前記ｎは３であり、前記ｍは２であってもよい。
【００２２】
前記再生している単位ユニットが未記録であると判定した場合に、前記転送手段による前記読み出し情報の転送を停止して、前記再生している単位ユニットの直後の単位ユニットの先頭の同期信号を検出したら前記転送手段により前記読み出し情報の転送を再開してもよい。
【００２３】
前記再生している単位ユニットが未記録であると判定した場合に、前記転送手段による前記読み出し情報の転送を停止して、前記再生している単位ユニットの開始位置から前記再生している単位ユニットの直後の単位ユニットの開始位置を推測して前記転送手段により前記読み出し情報の転送を再開してもよい。
【００２４】
前記未記録検出手段は前記情報記録媒体を再生した信号の振幅から記録済みか未記録かを示す未記録検出情報を生成してもよい。
【００２５】
前記未記録検出手段は前記情報記録媒体を再生した信号から同期信号を検出することにより記録済みか未記録かを示す未記録検出情報を生成してもよい。
【００２６】
前記情報記録媒体は書き換え可能な情報記録媒体であってもよい。
【００２７】
本発明の情報再生方法は、情報記録媒体に記録された情報を再生するものであって、前記情報記録媒体は所定の単位ユニットを単位として情報が記録されており、（ａ）前記情報記録媒体を再生して得た読み出し情報の転送を開始するステップと、（ｂ）再生している単位ユニットの途中において前記再生している単位ユニットが記録済みか未記録かを判定するステップと、（ｃ）前記ステップ（ｂ）において前記再生している単位ユニットが未記録であると判定した場合に、前記情報記録媒体を再生して得た読み出し情報の転送を停止するステップとを含み、これにより上記目的を達成する。
【００２８】
前記所定の単位ユニットにはｎ個（ｎ≧３、ｎは整数）のアドレス情報が記録されており、前記ステップ（ｂ）は再生している単位ユニットのｍ番目（２≦ｍ≦ｎ、ｍは整数）のアドレス情報を検出した時点において前記再生している単位ユニットが記録済みか未記録かを判定するステップであってもよい。
【００２９】
前記ｎは３であり、前記ｍは２であってもよい。
【００３０】
本発明の情報再生方法は、情報記録媒体に記録された情報を再生するものであって、前記情報記録媒体は所定の単位ユニットを単位として情報が記録されており、（ａ）前記情報記録媒体を再生して得た読み出し情報の転送を開始するステップと、（ｂ）再生している単位ユニットの途中において前記再生している単位ユニットが記録済みか未記録かを判定するステップと、（ｃ）前記ステップ（ｂ）において前記再生している単位ユニットが未記録であると判定した場合に、前記情報記録媒体を再生して得た読み出し情報の転送を停止して、前記再生している単位ユニットの直後の単位ユニットの開始位置から前記情報記録媒体を再生して得た読み出し情報の転送を再開するステップとを含み、これにより上記目的を達成する。
【００３１】
前記所定の単位ユニットにはｎ個（ｎ≧３、ｎは整数）のアドレス情報が記録されており、前記ステップ（ｂ）は再生している単位ユニットのｍ番目（２≦ｍ≦ｎ、ｍは整数）のアドレス情報を検出した時点において前記再生している単位ユニットが記録済みか未記録かを判定するステップであってもよい。
【００３２】
前記ｎは３であり、前記ｍは２であってもよい。
【００３３】
前記ステップ（ｃ）は前記ステップ（ｂ）において前記再生している単位ユニットが未記録であると判定した場合に、前記情報記録媒体を再生して得た読み出し情報の転送を停止して、前記再生している単位ユニットの直後の単位ユニットの先頭の同期信号を検出したら前記情報記録媒体を再生して得た読み出し情報の転送を再開するステップであってもよい。
【００３４】
前記ステップ（ｃ）は前記ステップ（ｂ）において前記再生している単位ユニットが未記録であると判定した場合に、前記情報記録媒体を再生して得た読み出し情報の転送を停止して、前記再生している単位ユニットの開始位置から前記再生している単位ユニットの直後の単位ユニットの開始位置を推測して前記情報記録媒体を再生して得た読み出し情報の転送を再開するステップであってもよい。
【００３５】
前記ステップ（ｂ）は再生している単位ユニットの再生信号の振幅から前記再生している単位ユニットが記録済みか未記録かを判定するステップであってもよい。
【００３６】
前記ステップ（ｂ）は再生している単位ユニットの再生信号から同期信号を検出することにより前記再生している単位ユニットが記録済みか未記録かを判定するステップであってもよい。
【００３７】
前記情報記録媒体は書き換え可能な情報記録媒体であってもよい。
【発明の効果】
【００３８】
本発明による情報再生装置および情報再生方法は、情報記録媒体の記録済みと未記録が混在した領域を読み出す場合に、未記録の領域を読み出しているときに読み出し情報の転送を停止して後続の領域に同期して読み出し情報の転送を再開することにより、記録済みの領域の情報を正しく読み出すことが可能であり、かつ、記録済みと未記録が混在した領域を一連の動作で読み出すことが可能である。
【発明を実施するための最良の形態】
【００３９】
以下、本発明の実施の形態について図面を参照しながら説明する。
【００４０】
図１は本発明の実施の形態における情報再生装置１００の構成を示すブロック図である。
【００４１】
情報再生装置１００において、光ピックアップ１０２により情報記録媒体１０１から読み出した信号は、ウォブル信号検出器１０９に入力され、案内溝の蛇行で記録されているＦＭ変調信号が取り出される。そのＦＭ変調信号をＦＭ復調器１１０で復調して記録符号を得る。記録符号からＰＬＬ回路１１１により回転同期クロックが検出され、復号器１１２の動作クロックとして出力されるとともに、切替器１１４へ出力される。復号器１１２は記録符号を復号してアドレス情報を得る。アドレス情報は、システムコントローラ１１７に出力される。
【００４２】
光ピックアップ１０２の出力信号は、再生信号検出器１０３にも入力され情報記録媒体１０１に記録されている情報を電気信号の振幅変化として再生信号を検出する。未記録検出器１１３は、検出した再生信号の振幅から記録済みか未記録かを判定して未記録検出情報を得る。また、検出した再生信号は、ＡＧＣ回路１０４により、平均的な信号振幅を一定にされる。ＡＧＣ回路１０４の出力は、Ａ／Ｄ変換器１０５で標本化・量子化され、デジタル化される。デジタル化された再生信号はイコライザ１０６により、周波数特性を補正され、波形特化される。切替器１１４は、未記録検出器１１３が出力する未記録検出情報を参照し、記録済みである場合にはイコライザ１０６の出力を、未記録である場合にはＰＬＬ回路１１１の出力をＰＬＬ回路１０７へ出力する。ＰＬＬ回路１０７は、切替器１１４の出力を用いて読み出し同期クロックを検出する。読み出し同期クロックは、Ａ／Ｄ変換器１０５、イコライザ１０６、復号器１０８の動作クロックとして供給される。波形特化された再生信号は、復号器１０８で記録符号の復号が行われ、読み出し情報として転送回路１１５へ出力される。転送回路１１５は、システムコントローラ１１７の制御下で復号器１０８から出力される読み出し情報をメモリ１１６に格納する。
【００４３】
なお、未記録検出器１１３は、再生信号検出器１０３の出力信号の振幅から、振幅がある場合に記録済み、振幅がない場合に未記録と判定してもよいが、イコライザ１０６の出力から同期信号が所定数以上検出できた場合に記録済み、同期信号が所定数検出できなかった場合に未記録と判定してもよい。
【００４４】
情報再生装置１００で情報記録媒体１０１に記録されている情報を読み出す場合の動作を説明する。
【００４５】
情報記録媒体１０１は、既定の単位ユニットごとに情報が記録され得る。この単位ユニットは、一般的に誤り訂正処理を行う単位となる。また、情報記録媒体１０１は記録可能な情報記録媒体であり、未記録状態、あるいは、大半が未記録である状態から、単位ユニットを単位として記録が行われるため、記録済みの領域と未記録の領域が混在し得る。特に、主としてランダムアクセスが行われる書き換え可能な情報記録媒体である場合には、未記録領域の情報を読み出す場合が発生する。また、追記可能な情報記録媒体においてもランダムアクセスを行う場合には未記録領域の情報を読み出す場合が発生し得る。
【００４６】
まず、情報記録媒体１０１の記録済み領域の情報を読み出す場合の動作を説明する。
【００４７】
システムコントローラ１１７は、復号器１１２が出力するアドレス情報を参照しながら光ピックアップ１０２を情報記録媒体１０１の情報を読み出す領域の直前付近に移動させる。その後、システムコントローラ１１７は、情報記録媒体１０１の情報を読み出す領域の先頭から復号器１０８が出力する読み出し情報をメモリ１１６に格納し始めるように転送回路１１５に命令を出す。最後に、情報記録媒体１０１の情報を読み出す領域の終端で復号器１０８が出力する読み出し情報をメモリ１１６に格納するのを停止するように転送回路１１５に命令を出す。これにより、情報記録媒体１０１の読み出す領域の情報がメモリ１１６に格納される。
【００４８】
次に、情報記録媒体１０１の未記録を含む領域の情報を読み出す場合の動作を説明する。
【００４９】
システムコントローラ１１７は、復号器１１２が出力するアドレス情報を参照しながら光ピックアップ１０２を情報記録媒体１０１の情報を読み出す領域の直前付近に移動させる。その後、システムコントローラ１１７は、情報記録媒体１０１の情報を読み出す領域の先頭から復号器１０８が出力する読み出し情報をメモリ１１６に格納し始めるように転送回路１１５に命令を出す。システムコントローラ１１７は、情報記録媒体１０１の情報を読み出す領域の各単位ユニットごとにその単位ユニットの途中において未記録検出器１１３が出力する未記録検出情報を参照してその単位ユニットが記録済みか未記録かの前判定を行い、未記録と判定した場合には、転送回路１１５に対して転送を停止するように命令する。さらに、後続の単位ユニットも読み出す場合には、後続の単位ユニットの先頭から復号器１０８が出力する読み出し情報をメモリ１１６内の後続の単位ユニットの読み出し情報を格納する位置から格納し始めるように命令する。システムコントローラ１１７は、情報記録媒体１０１の情報を読み出す領域の各単位ユニットごとにその単位ユニットの終端において未記録検出器１１３が出力する未記録検出情報を参照してその単位ユニットが記録済みか未記録かの本判定を行い、前判定と結果が異なった場合には、転送回路１１５に対して転送を停止するように命令して異常終了させる。最後に、情報記録媒体１０１の情報を読み出す領域の終端で復号器１０８が出力する読み出し情報をメモリ１１６に格納するのを停止するように転送回路１１５に命令を出す。これにより、情報記録媒体１０１の読み出す領域の情報がメモリ１１６に格納される。
【００５０】
なお、後続の単位ユニットも読み出す場合には、後続の単位ユニットの先頭の同期信号を検出した位置から復号器１０８が出力する読み出し情報をメモリ１１６内の後続の単位ユニットの読み出し情報を格納する位置から格納し始めるように命令してもよい。
【００５１】
なお、後続の単位ユニットも読み出す場合には、未記録と判定した単位ユニットの開始位置から後続の単位ユニットの開始位置を推測して復号器１０８が出力する読み出し情報をメモリ１１６内の後続の単位ユニットの読み出し情報を格納する位置から格納し始めるように命令してもよい。
【００５２】
なお、前判定と本判定で結果が異なったため異常終了した場合には、その単位ユニットに対する本判定の結果を前判定の結果として使用するようにして、再度その単位ユニットから読み出しを行うようにしてもよい。
【００５３】
なお、情報記録媒体１０１の各単位ユニットにｎ個（ｎ≧３、ｎは整数）のアドレス情報が記録されている場合には、ｍ番目（２≦ｍ≦ｎ、ｍは整数）のアドレス情報を検出した時点で、未記録検出器１１３が出力する未記録検出情報を参照してその単位ユニットが記録済みか未記録かの前判定を行うようにしてもよい。さらに、後続の単位ユニットも読み出す場合には、ｌ番目（ｍ≦ｌ≦ｎ、ｌは整数）のアドレス情報を検出した時点で、後続の単位ユニットの先頭から復号器１０８が出力する読み出し情報をメモリ１１６内の後続の単位ユニットの読み出し情報を格納する位置から格納し始めるように命令してもよい。
【００５４】
例えば、情報記録媒体１０１の各単位ユニットに３個のアドレス情報が記録されている場合には、２番目のアドレス情報を検出した時点で、未記録検出器１１３が出力する未記録検出情報を参照してその単位ユニットが記録済みか未記録かの前判定を行うようにしてもよい。さらに、後続の単位ユニットも読み出す場合には、３番目のアドレス情報を検出した時点で、後続の単位ユニットの先頭から復号器１０８が出力する読み出し情報をメモリ１１６内の後続の単位ユニットの読み出し情報を格納する位置から格納し始めるように命令してもよい。
【００５５】
本発明の実施の形態における情報再生装置は、再生している単位ユニットの途中で記録済みか未記録かの判定を行い、未記録である場合には、読み出し情報の転送を停止し、後続の単位ユニットに対する読み出し情報の転送を後続の単位ユニットの始端に同期して開始するとともにメモリ内の後続の単位ユニットの読み出し情報を格納する本来の位置から格納することにより、未記録の単位ユニットの直後の記録済みの単位ユニットの読み出し情報がずれることなくメモリ内の正しい位置に格納される。
【００５６】
図２は本発明の実施の形態における情報再生装置１００による情報再生方法を示したフローチャート図である。以下、図２のフローチャート図を用いて情報再生方法を説明する。
【００５７】
ステップ２０１では、情報記録媒体の読み出す領域の先頭単位ユニットの開始位置から読み取り情報をメモリ１１６に格納するように転送回路１１５に要求して、ステップ２０２へ進む。
【００５８】
ステップ２０２では、単位ユニットの途中の未記録判定位置に到達するまで待つ。単位ユニットの途中の未記録判定位置に到達するとステップ２０３へ進む。
【００５９】
ステップ２０３では、未記録検出器１１３が出力する未記録検出情報を参照して未記録の前判定を行う。未記録の前判定の結果、未記録と判定した場合は、ステップ２０４へ進み、記録済みと判定した場合は、ステップ２０５へ進む。
【００６０】
ステップ２０４では、転送回路１１５へ読み出し情報の転送を停止するように要求して、ステップ２０５へ進む。
【００６１】
ステップ２０５では、後続の単位ユニットも再生するかを判定し、後続の単位ユニットも再生する場合は、ステップ２０６へ進み、後続の単位ユニットは再生しない場合は、ステップ２０７へ進む。
【００６２】
ステップ２０６では、後続の単位ユニットの読み出し情報をメモリ１１６に格納するように転送回路１１５に要求する。これにより、ステップ２０３の未記録の前判定により記録済みと判定していた場合には、現在の単位ユニットの読み出し情報に続いて後続の単位ユニットの読み出し情報が転送されメモリ１１６に格納される。また、ステップ２０３の未記録の前判定により未記録と判定していた場合には、後続の単位ユニットの開始位置から読み出し情報が転送されてメモリ１１６内の後続単位ユニットの読み取り情報を格納する領域に格納される。転送回路１１５へ転送要求したらステップ２０７へ進む。
【００６３】
ステップ２０７では、単位ユニットの終端に到達するまで待つ。単位ユニットの終端に到達するとステップ２０８へ進む。
【００６４】
ステップ２０８では、未記録の本判定を行う。本判定の結果がステップ２０３の前判定の結果と一致しない場合は、ステップ２０９へ進み、本判定の結果がステップ２０３の前判定の結果と一致する場合は、ステップ２１０へ進む。
【００６５】
ステップ２０９では、転送回路１１５が読み出し情報の転送中ならば転送を停止するように要求する。本ステップに到達した場合は、異常終了として処理を終える。
【００６６】
ステップ２１０では、後続の単位ユニットも再生するかを判定し、後続の単位ユニットも再生する場合は、ステップ２０２へ進む。後続の単位ユニットは再生しない場合は、正常終了として処理を終える。
【００６７】
なお、ステップ２０６において、ステップ２０３の未記録の前判定により未記録と判定していた場合には、後続の単位ユニットの先頭の同期信号を検出したら読み出し情報を転送してメモリ１１６内の後続単位ユニットの読み取り情報を格納する領域に格納してもよい。
【００６８】
なお、ステップ２０６において、ステップ２０３の未記録の前判定により未記録と判定していた場合には、現在の単位ユニットの開始位置から後続の単位ユニットの開始位置を推測して読み出し情報を転送してメモリ１１６内の後続単位ユニットの読み取り情報を格納する領域に格納してもよい。
【００６９】
なお、図２のフローチャート図において、異常終了した場合には、ステップ２０８での本判定の結果をステップ２０３での前判定の結果として使用するようにして、再度本判定の結果と前判定の結果が一致しなかった単位ユニットから再生を行うようにしてもよい。
【００７０】
なお、情報記録媒体１０１の各単位ユニットにｎ個（ｎ≧３、ｎは整数）のアドレス情報が記録されている場合には、ｍ番目（２≦ｍ≦ｎ、ｍは整数）のアドレス情報を検出した時点を単位ユニットの途中の未記録判定位置とし、ステップ２０２では２番目のアドレス情報を検出するまで待つようにしてよい。また、ステップ２０５での後続の単位ユニットも再生するかの判定をｌ番目（ｍ≦ｌ≦ｎ、ｌは整数）のアドレス情報を検出した時点で行うようにしてもよい。
【００７１】
例えば、情報記録媒体１０１の各単位ユニットに３つのアドレス情報が記録されている場合には、２番目のアドレス情報を検出した時点を単位ユニットの途中の未記録判定位置とし、ステップ２０２では２番目のアドレス情報を検出するまで待つようにしてよい。また、ステップ２０５での後続の単位ユニットも再生するかの判定を３番目のアドレス情報を検出した時点で行うようにしてもよい。
【００７２】
以下、図３のタイミング図を用いて、３つの単位ユニット（単位ユニット１、単位ユニット２、単位ユニット３）を再生する場合の動作例を具体的に説明する。図３において、単位ユニット１と単位ユニット３が記録済みであり、単位ユニット２が未記録である。図４はメモリ１１６の領域を示した図であり、単位ユニット１の読み取り情報を領域１に格納し、単位ユニット２の読み取り情報を領域２に格納し、単位ユニット３の読み取り情報を領域３に格納するものとする。
【００７３】
Ａの位置では、先頭の単位ユニットである単位ユニット１の開始位置から読み出し情報をメモリ１１６内の領域１の先頭から格納するように転送回路１１５に要求する。
【００７４】
Ｂの位置では、単位ユニット１が記録済みか未記録かの前判定を行う。単位ユニット１は記録済みであり、前判定において正しく記録済みであると判定できたとすると、読み出し情報の転送をそのまま続行する。
【００７５】
Ｃの位置では、後続の単位ユニット２も再生の対象であるので、単位ユニット２の読み出し情報を継続転送してメモリ１１６に格納するように転送回路１１５に要求する。
【００７６】
Ｄの位置では、単位ユニット１の終端に到達したので、単位ユニット１が記録済みか未記録かの本判定を行う。単位ユニット１は記録済みであり、本判定でも前判定と同様に正しく記録済みであると判定できたとすると、そのまま処理を続行する。
【００７７】
Ｅの位置では、単位ユニット２が記録済みか未記録かの前判定を行う。単位ユニット２は未記録であり、前判定において正しく未記録であると判定できたとすると、読み出し情報の転送を停止するように転送回路１１５に要求する。
【００７８】
Ｆの位置では、後続の単位ユニット３も再生の対象であるので、単位ユニット３の開始位置から読み出し情報を転送してメモリ１１６内の領域３の先頭から格納するように転送回路１１５に要求する。
【００７９】
Ｇの位置では、単位ユニット２の終端に到達したので、単位ユニット２が記録済みか未記録かの本判定を行う。単位ユニット２は未記録であり、本判定でも前判定と同様に正しく未記録であると判定できたとすると、そのまま処理を続行する。
【００８０】
Ｈの位置では、単位ユニット３が記録済みか未記録かの前判定を行う。単位ユニット３は記録済みであり、前判定において正しく記録済みであると判定できたとすると、読み出し情報の転送をそのまま続行する。
【００８１】
Ｉの位置では、後続の単位ユニット４が再生の対象ではないので、単位ユニット４の読み出し情報の転送は要求しない。
【００８２】
Ｊの位置では、単位ユニット３の終端に到達したので、単位ユニット３が記録済みか未記録かの本判定を行う。単位ユニット３は記録済みであり、本判定でも前判定と同様に正しく記録済みであると判定できたとすると、再生する領域の処理が完了したので正常終了する。
【００８３】
このように処理すると、未記録である単位ユニット２の直後の記録済みである単位ユニット３の読み出し情報をメモリ１１６内の領域３に正しく格納することができる。
【００８４】
本発明の実施の形態における情報再生方法は、再生している単位ユニットの途中で記録済みか未記録かの前判定をして、未記録である場合には、読み出し情報の転送を停止するステップがある。また、前判定において未記録であると判定したときに、読み出し情報の転送を停止したのち、後続の単位ユニットも再生する場合は、後続の単位ユニットの開始位置から読み出し情報の転送を再開し、メモリ内で後続単位ユニットの読み出し情報を格納する領域に格納するステップがある。これにより、未記録の単位ユニットの直後の記録済みの単位ユニットの読み出し情報がずれることなくメモリ内の正しい位置に格納される。
【産業上の利用可能性】
【００８５】
本発明による情報再生装置および情報再生方法は、情報記録媒体の記録済みと未記録が混在した領域を再生する場合に、未記録部分において読み出し情報の転送を停止し後続の領域に同期して読み出し情報の転送を再開することにより、信頼性を保持しつつ一連の動作で読み出すことが可能であり、コンピュータの外部記憶装置などの記録可能な情報記録媒体を再生する用途に適用できる。
【図面の簡単な説明】
【００８６】
【図１】本発明の情報再生装置の構成を示すブロック図
【図２】本発明の情報再生方法の手順を示すフローチャート
【図３】本発明の実施の形態における動作例でのタイミング図
【図４】メモリの領域を示した図
【図５】従来の情報再生装置の構成の一例を示すブロック図
【図６】従来の情報再生装置の構成の一例を示すブロック図
【符号の説明】
【００８７】
１０１    情報記録媒体
１０２    光ピックアップ
１０３    再生信号検出器
１０４    ＡＧＣ回路
１０５    Ａ／Ｄ変換器
１０６    イコライザ
１０７    ＰＬＬ回路
１０８    復号器
１０９    ウォブル信号検出器
１１０    ＦＭ復調器
１１１    ＰＬＬ回路
１１２    復号器
１１３    未記録検出器
１１４    切替器
１１５    転送回路
１１６    メモリ
１１７    システムコントローラ
５０１    情報記録媒体
５０２    光ピックアップ
５０３    再生信号検出器
５０４    ＡＧＣ回路
５０５    Ａ／Ｄ変換器
５０６    イコライザ
５０７    ＰＬＬ回路
５０８    復号器
５０９    ウォブル信号検出器
５１０    ＦＭ復調器
５１１    ＰＬＬ回路
５１２    復号器
６１３    未記録検出器
６１４    切替器
【図１】
2005276381.tif 000003
【図２】
2005276381.tif 000004
【図３】
2005276381.tif 000005
【図４】
2005276381.tif 000006
【図５】
2005276381.tif 000007
【図６】
2005276381.tif 000008